(57)【要約】【課題】樹脂製フォームにおいてその特徴である柔軟性、弾性を残したうえで硬度を上昇させ、今迄のように介護分野における使用だけでなく口腔内全般に使用出来、清掃効果に優れた総合的な口腔内清掃具の開発を課題とした。【解決手段】種類や色の異なる樹脂製フォームを芯線において上下より挟み込み適当な回数を捩り加工することで密度が上昇し硬化することにより清掃効率を上昇させ、今までのように介護用だけでなく、歯面や舌の汚れも総合的に除去することができ、デザイン性にも優れた商品となった。【選択図】図７
2014113435.tif 000002
【特許請求の範囲】
【請求項１】
異色の板形状樹脂製フォームを、芯線において上下より挟み断面が円形になるまで捩った樹脂製フォームを平面において渦巻き形状に巻き込んだ清掃部を樹脂製ハンドルの一方端に固定したことを特徴とする口腔内清掃具。
【請求項２】
請求項１において、捩った樹脂製フォームを平面において二つ折にしたことを特徴とする口腔内清掃具。
【請求項３】
請求項１において、捩った樹脂製フォームをバネ形状に巻き込んだことを特徴とする口腔内清掃具。
【請求項４】
請求項１乃至３において、異質の板形状樹脂製フォームを使用したことを特徴とする口腔内清掃具。
【請求項５】
請求項１乃至３において、板形状樹脂製フォームとゴム系樹脂を使用したことを特徴とする口腔内清掃具。
【請求項６】
請求項１乃至３において、板形状樹脂製フォームと化学繊維糸束を使用したことを特徴とする口腔内清掃具。
【請求項７】
請求項１乃至６の口腔内清掃具の製造方法。
【発明の詳細な説明】
【技術分野】
【０００１】本発明は樹脂製フォームの強度向上を計り、口腔内清掃効率を向上させる商品とその製造方法に関する。
【背景技術】
【０００２】現在、樹脂製フォーム例えばポリウレタンフォームを樹脂製のハンドルに差し込み固定した介護用口腔内清掃具や、二つ折にしたポリウレタンフォームを板状のハンドルに固定した清掃具が市販されている。【０００３】また  メラミンフォームの構造壁の細さと微細粉末状に剥離する性質を利用して歯面に付着したタバコやコーヒー等の生体外由来の着色汚れを除去することを目的とする商品も販売されている。【０００４】
【特許文献１】  実登３０１５１２４号公報
【特許文献２】  特許第４９６３５５２号公報
【発明の開示】
【発明が解決しようとする課題】
【０００５】樹脂製フォームであるポリウレタンフォームにおいては柔軟であり弾性体で引っ張り強度においても口腔内使用を目的とする清掃具として問題はない。それに加えメラミンフォームのように微細粉末状に剥離する物性も少なく安全な物質と考えられる。しかし、あまりにも弾性に富み柔軟である物性から清掃効率が悪く、広く利用される分野は介護用における痰などの粘液除去が中心であった。【０００６】上記したポリウレタンフォームの優れた特徴を残し且つ歯面、舌面等に付着した汚れを効果的に除去することの出来る総合口腔内清掃具の開発を課題とした。
【課題を解決するための手段】
【０００７】複数の樹脂製フォーム１を芯線２で上下より挟み込み、適当な回数を捩り加工することで樹脂製フォーム１は円筒状になると同時に圧縮され密度上昇と共に硬化する。この樹脂製フォームを図５〜７のような形状に加工して口腔内清掃具とした。
【発明の効果】
【０００８】上記したように樹脂製フォーム１を円筒状に加工することで硬化し、腰の強い樹脂製フォーム１となり、柔軟すぎることから清掃効率の悪かった樹脂製フォームにおいても歯面清掃なども可能となった。【０００９】また  樹脂製フォーム１は圧縮され密度上昇に伴い硬化しても表面は柔らかいことから口腔内粘膜や歯肉を傷つけることが少なく同時に、刺激することにより唾液の分泌が盛んになり清掃効率が上昇した。【００１０】舌垢の除去においても市販される歯ブラシと比較すると十分柔らかく舌表面を傷つけることなく清掃することが可能となった。【００１１】このように樹脂製フォームを圧縮加工することにより、今迄の介護用としてのみ使用されていた口腔内清掃具が色々な用途に適合した総合的口腔内清掃具となった。
【発明を実施するための最良の形態】
【００１２】以下、本発明を実施するための最良の形態を図をもって順に説明する。【００１３】樹脂製フォーム１と１Ａを長さ８０ｍｍｘ幅２０ｍｍｘ厚さ１０ｍｍにカットする。次に樹脂製フォーム１と１Ａを重ね合わせずで示すように芯線２で上下長手方向中心部を挟み込む。挟み込んだ状態を示す断面図が図２である。今回使用した芯線２は、口腔内使用であるため錆に強いステンレス材を使用し、強度の関係から線径０．８ｍｍを使用した。
また、より以上の安全性や金属アレルギーなどに配慮した場合は線径０．８ｍｍを樹脂製被膜で覆った線径１．２ｍｍが好ましい。
ただし、口腔内清掃具の形状や大きさによって芯線の太さは線径０．６〜１．２ｍｍの範囲内で選択した。
例えば、図５のような形状の口腔内清掃具の場合は２本の捩り芯線１本で固定するために太目の物を使用し、図６ような二つ折りの形状の場合は両端の２本の捩り芯線２本で固定するために細めのものでも十分な強度を有する。
図７の場合は樹脂製フォーム１先端部に突出した芯線２を内側に折り曲げネック部３に差し込んだ構造の場合は芯線２本で固定するため図６のように細めの芯線２で十分であるが、樹脂製フォーム１先端部において芯線２をカットする構造とする場合は図５のように太目の芯線２が必要である。【００１４】樹脂製フォーム１と１Ａを芯線２で上下から挟み込んだ後、突出した芯線の片方端を固定しもう一方端を捩り図４で示したような断面が円形状の樹脂製フォーム１に加工する。その形状を示したものが図３である。口腔内清掃具に適合した圧縮密度は２〜３倍程度であるため、一辺が２０ｍｍの四角形を直径６〜１０ｍｍ程度の太さに加工した。【００１５】樹脂製フォーム１の加工後の太さは用途によっても異なり、舌の清掃や介護用として使用する場合は圧縮密度を少なくし柔らかいものとした。
逆に歯面清掃に重点を置く場合は圧縮密度を上昇させ硬い構造とした。【００１６】また、樹脂製フォーム１と異質樹脂製フォーム１Ａと上下違った物性の樹脂製フォームを使用することで、図３で示すように規則性を持って分かれ口腔内使用に際し、広く適合する清掃具となった。【００１７】デザイン面においても樹脂製フォーム１と異質樹脂製フォーム１Ａの色を変えることで付加価値も向上した。【００１８】図３と４で示した加工後の樹脂製フォームを代表例として図５〜７のように巻き込むことで口腔内清掃部が完成する。
図４で示した加工後の樹脂製フォームの寸法も巻き込み方法により異なり、図５の場合は７〜８ｍｍ位、図６の場合は１０ｍｍ以上、図７の場合は７ｍｍ以下とした。
これは完成した口腔内清掃部の大きさが幅において（図７の場合は直径）１５〜２５ｍｍまでとなり、口腔内清掃に適合した寸法にするためである。【００１９】上記した方法で加工された口腔内清掃部をネック部３に固定する方法はインサート成型が好ましい。口腔内清掃部から突出した捩り加工後の芯線１に対し射出成型により同時にネック部３とハンドル本体４を製造し固定する方法である。
また、ネック部３をハンドル本体に差し込む取り換え式とする場合においてはパイプ形状のネック部３に突出した芯線２の先端部分５〜１０ｍｍ位を折り曲げた後、差し込みネック部３の適合部を加締め加工して固定する方法もある。
この方法においては、製造工程が一工程増加することになるがその反面芯線２をパイプ形状のネック部３が覆うことになり、芯線２の露出が少なくデザイン性には優れている。【００２０】上記した口腔内清掃具研究開発に際し下記に示す方法も有効であった。【００２１】樹脂製フォームとゴム系の薄い板を巻き込んだ物や、樹脂製フォームとポリ系の水切れに優れた極細繊維や糸束の組み合わせが有効であった。【００２２】樹脂製フォームを２枚以上重ねる方法や樹脂製フォームを芯線により捩り加工する際、長手方向に対し垂直となる幅方向の中央部分から離れた部分を偏って捩ることで加工後の円筒形状樹脂製フォームには規則的に凹凸が生じ、図７の場合同様歯面清掃には有効であった。
【図面の簡単な説明】
【００２３】
【図１】樹脂製フォームを芯線で挟んだ状態を示す正面図
【図２】図１をＡ−Ａ断面でカットした形状を示す断面図
【図３】二種類の樹脂製フォームを芯線を中心に捩った状態を示す正面図
【図４】図３をＢ−Ｂ断面でカットした形状を示す断面図
【図５】捩り終わった樹脂製フォームを平面状に巻き込み、歯面清掃用ハンドルに取り付けた形状を示す平面図
【図６】捩り終わった樹脂製フォームを二つ折りし歯面清掃用ハンドルに取り付けた形状を示す平面
【図７】捩り終わった樹脂製フォームをバネ状に巻き込み歯面清掃用ハンドルに取り付けた形状を示す平面図
【符号の説明】
【００２４】  １．    樹脂製フォーム
１Ａ．  異質樹脂製フォーム
２．    芯線
２Ａ．  捩り芯線
３．    ネック部
４．    ハンドル本体
【図１】
2014113435.tif 000003
【図２】
2014113435.tif 000004
【図３】
2014113435.tif 000005
【図４】
2014113435.tif 000006
【図５】
2014113435.tif 000007
【図６】
2014113435.tif 000008
【図７】
2014113435.tif 000009